【手続補正書】
【提出日】平成28年7月6日(2016.7.6)
【手続補正１】
【補正対象書類名】特許請求の範囲
【補正対象項目名】全文
【補正方法】変更
【補正の内容】
【特許請求の範囲】
【請求項１】
印字条件によって、イエロー、シアン、マゼンタ、ブラックの４色圧着と、４色圧着にさらに１色加えた５色圧着とによる複数の圧着状態を持つ圧着機構を有する画像形成部と、
前記画像形成部を制御し、前記複数の圧着状態における画像調整を行う制御部と、
前記画像調整による調整結果を圧着状態毎に保持する記憶部と、を備え、
前記制御部は、前記圧着状態が切り替わったときに、前記記憶部から前記圧着状態に対応する調整結果を読み出し、該調整結果に基づいて画像形成を行うことを特徴とする画像形成装置。
【請求項２】
前記画像調整が色ずれ補正を含むものであることを特徴とする請求項１記載の画像形成装置。
【請求項３】
前記複数の圧着状態は、異なる色材圧着の組み合わせによるものであることを特徴とする請求項１または２に記載の画像形成装置。
【請求項４】
前記制御部は、ジョブの実行に際し、一部の色材のジョブ使用、ジョブ未使用およびジョブ使用とが繰り返し実行される場合、前記色材を使用した圧着状態で前記画像形成を行うことを特徴とする請求項３記載の画像形成装置。
【請求項５】
前記制御部は、前記圧着状態をもたらしている色材のうち、一部の色材を用いて画像形成を行う場合、前記圧着状態に対する画像調整結果に基づいて画像形成を行うことを特徴とする請求項３または４に記載の画像形成装置。
【請求項６】
前記制御部は、前記画像調整に際し、前記圧着状態をもたらしている色材のうち、一部の色材についてのみ画像調整を行うことを特徴とする請求項３〜５のいずれか１項に記載の画像形成装置。
【請求項７】
前記制御部は、前記複数の圧着状態における画像調整を同時に続けて行うことを特徴とする請求項１〜６のいずれか１項に記載の画像形成装置。
【請求項８】
前記制御部は、前記画像調整を所定枚数印字毎、所定稼働時間経過毎もしくはユーザーの設定内容に応じて行うことを特徴とする請求項１〜７のいずれか１項に記載の画像形成装置。
【請求項９】
印字条件によって、イエロー、シアン、マゼンタ、ブラックの４色圧着と、４色圧着にさらに１色加えた５色圧着による複数の圧着状態を持つ圧着機構を有する画像形成部と、前記画像形成部を制御し、前記複数の圧着状態における画像調整を行う制御部と、前記画像調整結果を圧着状態毎に保持する記憶部と、を備える画像形成装置の画像形成制御方法であって、
前記圧着状態が切り替わったときに、前記記憶部から前記圧着状態に対応する画像調整結果を読み出し、該調整結果に基づいて画像形成を行うことを特徴とする画像形成制御方法。
【請求項１０】
前記画像調整が色ずれ補正を含むものであることを特徴とする請求項９記載の画像形成制御方法。
【請求項１１】
前記複数の圧着状態は、異なる色材圧着の組み合わせによるものであることを特徴とする請求項９または１０に記載の画像形成制御方法。
【請求項１２】
ジョブの実行に際し、一部の色材のジョブ使用、ジョブ未使用およびジョブ使用とが繰り返し実行される場合、前記色材を使用した圧着状態で前記画像形成を行うことを特徴とする請求項１１に記載の画像形成制御方法。  
【請求項１３】
前記圧着状態をもたらしている色材のうち、一部の色材を用いて画像形成を行う場合、前記圧着状態に対する画像調整結果に基づいて画像形成を行うことを特徴とする請求項１１または１２に記載の画像形成制御方法。
【請求項１４】
前記画像調整に際し、前記圧着状態をもたらしている色材のうち、一部の色材についてのみ画像調整を行うことを特徴とする請求項１１〜１３のいずれか１項に記載の画像形成制御方法。
【請求項１５】
前記複数の圧着状態における画像調整を同時に続けて行うことを特徴とする請求項９〜１４のいずれか１項に記載の画像形成制御方法。
【請求項１６】
前記画像調整を所定枚数印字毎、所定稼働時間経過毎もしくはユーザーの設定内容に応じて行うことを特徴とする請求項９〜１５のいずれか１項に記載の画像形成制御方法。
【手続補正２】
【補正対象書類名】明細書
【補正対象項目名】０００８
【補正方法】変更
【補正の内容】
【０００８】
すなわち、本発明の画像形成装置のうち、第１の本発明は、印字条件によって、イエロー、シアン、マゼンタ、ブラックの４色圧着と、４色圧着にさらに１色加えた５色圧着とによる複数の圧着状態を持つ圧着機構を有する画像形成部と、
前記画像形成部を制御し、前記複数の圧着状態における画像調整を行う制御部と、
前記画像調整による調整結果を圧着状態毎に保持する記憶部と、を備え、
前記制御部は、前記圧着状態が切り替わったときに、前記記憶部から前記圧着状態に対応する調整結果を読み出し、該調整結果に基づいて画像形成を行うことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
第４の本発明の画像形成装置は、前記第３の本発明において、前記制御部は、ジョブの実行に際し、一部の色材のジョブ使用、ジョブ未使用およびジョブ使用とが繰り返し実行される場合、前記色材を使用した圧着状態で前記画像形成を行うことを特徴とする。
【手続補正５】
【補正対象書類名】明細書
【補正対象項目名】００１３
【補正方法】変更
【補正の内容】
【００１３】
第５の本発明の画像形成装置は、前記第３または第４の本発明において、前記制御部は、前記圧着状態をもたらしている色材のうち、一部の色材を用いて画像形成を行う場合、前記圧着状態に対する画像調整結果に基づいて画像形成を行うことを特徴とする。
【手続補正６】
【補正対象書類名】明細書
【補正対象項目名】００１４
【補正方法】変更
【補正の内容】
【００１４】
第６の本発明の画像形成装置は、前記第３〜第５の本発明のいずれかにおいて、前記制御部は、前記画像調整に際し、前記圧着状態をもたらしている色材のうち、一部の色材についてのみ画像調整を行うことを特徴とする。
【手続補正７】
【補正対象書類名】明細書
【補正対象項目名】００１５
【補正方法】変更
【補正の内容】
【００１５】
第７の本発明の画像形成装置は、前記第１〜第６の本発明のいずれかにおいて、前記制御部は、前記複数の圧着状態における画像調整を同時に続けて行うことを特徴とする。
【手続補正８】
【補正対象書類名】明細書
【補正対象項目名】００１６
【補正方法】変更
【補正の内容】
【００１６】
第８の本発明の画像形成装置は、前記第１〜第７の本発明のいずれかにおいて、前記制御部は、前記画像調整を所定枚数印字毎、所定稼働時間経過毎もしくはユーザーの設定内容に応じて行うことを特徴とする。
【手続補正９】
【補正対象書類名】明細書
【補正対象項目名】００１７
【補正方法】変更
【補正の内容】
【００１７】
第９の本発明の画像形成制御方法は、印字条件によって、イエロー、シアン、マゼンタ、ブラックの４色圧着と、４色圧着にさらに１色加えた５色圧着による複数の圧着状態を持つ圧着機構を有する画像形成部と、前記画像形成部を制御し、前記複数の圧着状態における画像調整を行う制御部と、前記画像調整結果を圧着状態毎に保持する記憶部と、を備える画像形成装置の画像形成制御方法であって、前記圧着状態が切り替わったときに、前記記憶部から前記圧着状態に対応する画像調整結果を読み出し、該調整結果に基づいて画像形成を行うことを特徴とする。
【手続補正１０】
【補正対象書類名】明細書
【補正対象項目名】００１８
【補正方法】変更
【補正の内容】
【００１８】
第１０の本発明の画像形成制御方法は、前記第９の本発明において、前記画像調整が色ずれ補正を含むものであることを特徴とする。
【手続補正１１】
【補正対象書類名】明細書
【補正対象項目名】００１９
【補正方法】変更
【補正の内容】
【００１９】
第１１の本発明の画像形成制御方法は、前記第９または第１０の本発明において、前記複数の圧着状態は、異なる色材圧着の組み合わせによるものであることを特徴とする。
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】変更
【補正の内容】
【００２１】
第１２の本発明の画像形成制御方法は、前記第１１の本発明において、ジョブの実行に際し、一部の色材のジョブ使用、ジョブ未使用およびジョブ使用とが繰り返し実行される場合、前記色材を使用した圧着状態で前記画像形成を行うことを特徴とする。
【手続補正１４】
【補正対象書類名】明細書
【補正対象項目名】００２２
【補正方法】変更
【補正の内容】
【００２２】
第１３の本発明の画像形成制御方法は、前記第１１または第１２の本発明において、前記圧着状態をもたらしている色材のうち、一部の色材を用いて画像形成を行う場合、前記圧着状態に対する画像調整結果に基づいて画像形成を行うことを特徴とする。
【手続補正１５】
【補正対象書類名】明細書
【補正対象項目名】００２３
【補正方法】変更
【補正の内容】
【００２３】
第１４の本発明の画像形成制御方法は、前記第１１〜第１３の本発明のいずれかにおいて、前記画像調整に際し、圧着状態の色材のうち、一部の色材についてのみ画像調整を行うことを特徴とする。
【手続補正１６】
【補正対象書類名】明細書
【補正対象項目名】００２４
【補正方法】変更
【補正の内容】
【００２４】
第１５の本発明の画像形成制御方法は、前記第９〜第１４の本発明のいずれかにおいて、前記複数の圧着状態における画像調整を同時に続けて行うことを特徴とする。
【手続補正１７】
【補正対象書類名】明細書
【補正対象項目名】００２５
【補正方法】変更
【補正の内容】
【００２５】
第１６の本発明の画像形成制御方法は、前記第９〜第１５の本発明のいずれかにおいて、前記画像調整を所定枚数印字毎、所定稼働時間経過毎もしくはユーザーの設定内容に応じて行うことを特徴とする。